(57)【要約】      （修正有）【課題】対象者の持つ価値観を言語化・定量化することにより、人や場のマッチングに対するアドバイスを行うことを可能とし、双方が真に求める人や組織等の発見・マッチングの手助けを可能とする。【解決手段】対象者の価値観を定量化するとともに顔面を撮影した画像データから感情解析装置を介して解析し、感情の表出を測定する。更にこれを予め登録した価値観のパターンと比較し、より的確なマッチングを行う。【選択図】図３
2020064578.tif 000002
【特許請求の範囲】
【請求項１】
人間の価値観を定量化・言語化することを可能とする価値観定量化装置
【請求項２】
ウェブ画面上に示される価値観を分類することで対象者の価値観を定量化することを可能とする、請求項１に記載の価値観定量化装置
【請求項３】
定量化された価値観をレポート上に表示することを可能とする、請求項１及び２に記載の価値観定量化装置
【請求項４】
予め登録した価値観のパターンと対象者の価値観の一致度合を検知し、より的確なマッチングを可能とする、請求項１〜３に記載の価値観定量化装置
【発明の詳細な説明】
【技術分野】
【０００１】  本発明は、人の価値観の言語化及び定量化またはそれを利用したマッチング及びリコメンデーション方法に係る。
【背景技術】
【０００２】  自らの価値観に則した選択を行うことが幸せな人生を送ることと密接な関係があることは経験上また心理学における研究上真実性が高いことと考えられている。これまで、主にカウンセリングなどの分野でその観察は試みられていたものの、定量的に測定する技術は確立されていなかったが、特許文献１にあるように、ＡＩの技術を駆使することで昨今その可能性は広がりを見せている。
【先行技術文献】
【特許文献】
【０００３】
【特許文献１】：特開２０００−１６６９０４
【特許文献２】：特開２００１−０５２０３０
【特許文献３】：特開２００１−２９０８３７
【特許文献４】：特開２００６−２０９３３２
【特許文献５】：特開２００７−２３７６６６
【発明の概要】
【発明が解決しようとする課題】
【０００５】  心理学の分野において、価値観は人の行動のドライバとなりうる重要な要素である。  これまで婚活をはじめとする各個人の活動あるいは企業における採用・配属等において、各々がその価値観に基づきより良い選択を行うことを目指していたが、そもそも選択の基礎となる価値観の言語化や定量化を行うことが極めて困難であった。このため過去の経験に基づき抽象的あるいは極度に具体的な嗜好から選択がなされることが多かった。本発明では価値観を言語化・定量化することにより、双方が真に求める人や組織等の発見・マッチングの手助けを可能とする。またこれにより人類がより幸福に生きることの助けとなる。
【課題を解決するための手段】
【０００６】  指定のＵＲＬにログインし、順番に示される価値観について、「私にとって最も重要な価値観」「私にとって重要な価値観」あるいは「私にとって重要ではない価値観」など何らかの手段で重要度に応じて分類する。示される価値観は、心理学の分野において人間の価値を示すとされるもののうち、類似するものを省いた４０〜１００の価値観である。【０００７】  価値観の分類を行うことにより、対象者の持つ価値観は図の形式で示され、その重要度は明確に数値によって示される。【０００８】  また、これらのデータを蓄積することにより価値観の定量化を可能とし、対象者に対しより精度の高い職業や場、人とのマッチングの提案が可能となる。【０００９】  即ち、価値観を言語化・重みづけすることにより、対象者にとってより適切な選択を行うことを可能とし、人間が幸せな人生を歩む助けをすることができる。【００１０】  本発明は、画面上に示される価値観が対象者にとりどの程度重要であるかを分類し、分類までにかかった時間、どの程度の確信をもって分類がなされたか、及び分類の際どのような感情が表情として表れたかの３点を測定する。【００１１】  分類までにかかった時間は、コンピュータ上で１つの価値観が示されてから分類がなされるまでの時間を１００分の１秒の単位まで測る。【００１２】  どの程度確信をもって分類がなされたかの情報は、示された価値観が分類されるまでにどの程度迷ったかを測ることで得られる。典型的には、示された価値観を最終的に分類するまでのマウスの動き、即ち別のカテゴリーに分類しかけた場合等の情報から算出される。例えば、画面をｘｙ軸の座標で区切ってその移動距離もしくはマウスが通過した箱の数で算出される。【００１３】  どのような感情が表れていたかの測定は、ウェブカメラを使用して撮影された対象者の表情を解析することでなされる。  具体的には、ＡＩを用いてポール・エクマン博士が提唱した人間の７つの基礎感情に加えて無表情がどの程度表れているかを示す。分類が即座になされ、特に表情が表れなかった場合には、適用無しの結果が示される。【００１４】  ソフトウェアのレポート画面上で「非常に重要（トップ１０）」、「重要」、「重要ではない」などの重要度カテゴリーに分類された価値観が表示される。  それぞれのカテゴリーに分類された価値観が示される。それらに対し、分類までにかかった時間、どの程度の確信をもって分類がなされか、及び分類をした際に現れた「感情度」の度合いが示される。  更に、表情から解析された感情の内訳分布がパイチャートで示される。【００１５】  年齢及び性別等の属性情報と組み合わせることにより、より具体的な人材や職業等の提案を可能にする。【００１６】  更に、パフォーマンスの高い人材や組織にとって重要な価値観パターンを予め登録しておき、対象者の価値観パターンとの一致度合を測り通知することを可能とする。これにより更に的確なマッチング及びリコメンデーションを可能とする。
【発明の効果】
【００１７】  本発明の価値観定量化装置では、人間の持つ価値観を言語化・定量化することができる。【００１８】  本発明の価値観定量化装置では、対象者がそれぞれの価値観を分類するまでにかかった時間を記録し示すことができる。【００１９】  本発明の価値観定量化装置では、対象者がそれぞれの価値観を分類する際に、どの程度の確信をもって行ったかを記録し、示すことができる。【００２０】  本発明の価値観定量化装置では、対象者がそれぞれの価値観を分類する際、顔の表情として現れた感情を記録し、バイタリティの度合いと、無表情を含む８つの感情がどの程度表出していたかを記録し示すことができる。【００２１】  本発明の価値観定量化を行った後に、対象者の属性情報と組み合わせることで、より適切なマッチングに係るアドバイスを提供することができる。
【図面の簡単な説明】
【００２２】
【図１】対象者が価値観を判断するために画面にログインし価値観を分類する
【図２】価値観を分類する際のマウスの動き、かかった時間、表情の変化を記録することでその価値観の定量的な重みづけを評価する
【図３】分類された結果のレポートが作成される
【図４】属性情報との組み合わせによるアドバイスを表示
【発明を実施するための形態】
【００２３】  以下に図面を参照しながら本発明の実施例について説明する。
図１は対象者がＰＣ上でサイトにログインするのを示した図である。また顔の表情を取得する方法をも示している。分類する際の顔の表情を取得するため、対象者はカメラに正面に向かい、顔面の額から顎、両耳の内側の範囲が十分に映るようカメラを位置する。
【００２４】  図２は対象者が価値観を分類する場面を示した図である。分類にかかった時間及び分類するまでのマウスの動きが取得される。
【００２５】  図３はサーバへ表情の情報が送られ、感情の分布を取得した後作成されるレポートを示した図である。
【００２６】  図４は予め登録した価値観パターンとユーザー個別の価値観パターンを検知し、より的確なマッチングを可能とする。
【産業上の利用可能性】
【００２７】  本発明により価値観を言語化・定量化し、対象者の価値観を明確にすることができるため、人間の価値観を基により適切な判断が求められる産業や、これを用いた装置等への適用に有効である。
【図１】
2020064578.tif 000003
【図２】
2020064578.tif 000004
【図３】
2020064578.tif 000005
【図４】
2020064578.tif 000006